(57)【特許請求の範囲】
【請求項１】
プラスチック素材からなるかつら用ストッパであって、
基材と、
前記基材の端部近傍に挿通して配置され、前記基材との間で毛髪を挟持する挟持部材と、
前記基材の少なくとも前記端部近傍に配置され、前記挟持部材の前記基材から突出する突出部を押さえる押さえ部材と、を有し、
前記挟持部材は、前記基材によって、前記毛髪を挟持する位置と、そこから退避した位置とに移動自在に支持され、
前記挟持部材は、少なくとも前記毛髪を挟持する位置において、前記押さえ部材により位置決めされる、
ことを特徴とするかつら用ストッパ。
【請求項２】
前記押さえ部材は、前記基材の上面を覆うように配置され、少なくとも一点で前記基材に連結固定される、
ことを特徴とする請求項１記載のかつら用ストッパ。
【請求項３】
前記押さえ部材は、前記基材の端部を折り返して一体に形成される、
ことを特徴とする請求項１記載のかつら用ストッパ。
【請求項４】
前記挟持部材は、前記突出部に傾斜面を設けた、
ことを特徴とする請求項１記載のかつら用ストッパ。
【請求項５】
前記挟持部材は、前記突出部に曲面を設けた、
ことを特徴とする請求項１記載のかつら用ストッパ。
【請求項６】
前記押さえ部材は、ネジにより前記基材に連結固定される、
ことを特徴とする請求項２記載のかつら用ストッパ。
【請求項７】
前記押さえ部材は、溶着により前記基材に連結固定される、
ことを特徴とする請求項２記載のかつら用ストッパ。
【請求項８】
請求項１乃至７のいずれか１項に記載のかつら用ストッパを用い、前記かつら用ストッパを基布の装着者の頭皮側に設け、前記基布の表面側に人毛又は人工毛を植設して成る、ことを特徴とするかつら。
【発明の詳細な説明】
【技術分野】
【０００１】
本発明は、かつらを頭部に取付け又は取外しするために使用するかつら用ストッパに関する。
【背景技術】
【０００２】
従来、かつらは、装飾等のため、又は、薄くなった頭髪を外見上実際の頭髪であるように見せるためのものであり、かつらベースに植設された人毛又は人工毛からなる毛髪と自毛とが自然に一体化されるように形成されるものが一般的に用いられている。
【０００３】
装飾等のため、又は、増毛のためのいずれの場合も、かつらを装着する場合は、かつらを頭部に固定する必要がある。装飾のためのかつらの場合は、自毛が十分あるので、ストッパ（又はストッパー）と呼ばれる止め具を用いてかつらを頭部に固定することができる。
【０００４】
また、増毛のためのかつらの場合であっても、頭頂部を除いて周囲に十分に自毛があるような場合は、上記同様にストッパを用いてかつらを頭部に固定することができる。
このようなストッパとしては、鋼鉄製のバネ板部材から成り複数のピンと一体に櫛状に形成される本体部と、ピンの先端が離接するピン当接部と、上記本体部の両端部にピン当接部を連結するハトメと、から成るストッパが知られている。
【０００５】
このストッパは、本体部の両端部が相互に引き寄せる方向に挟められてピン当接部と連結されているので、本体部は反り返る付勢力を有している。
ところで、旅行等で長距離特急列車や飛行機に乗るとき等の搭乗口近傍、あるいは、会社や家族の慰安旅行で行楽地の大型施設に入場するとき等の入場口近傍に、近年、急速に拡大するテロ対策のための金属探知機が常設されるようになっている。
【０００６】
したがって、上記の鋼鉄製のバネ板部材から成るストッパを備えたかつらを着用していると、金属探知機に引っ掛かるということがしばしば発生するようになってきた。慣れていれば、このストッパが原因であると直ちに判明するが、慣れていないと原因究明に手数と時間が掛かり、自他ともに大変迷惑することになる。
【０００７】
また、かつらを着用していることを公言する人はめったにいないものであり、かつらを着用していることを他人の目から隠すことは常識のようなものであるから、金属探知機に引っ掛って、かつらの着用が露見すると、かつらを着用していた本人は非常に不快な思いをすることになる。
【０００８】
そこで、本出願人は、金属探知機に反応しにくいチタン製のかつら用ストッパ、即ち、バネ板状部材からなり、ピンと一体にほぼ櫛状に形成された本体部と、この本体部を凸又は凹状に反り返るべく上記本体部の両端部にハトメにより固定、連結されたピン当接部を備えるチタン製のかつら用ストッパを提案している（例えば、特許文献１参照）。
【先行技術文献】
【特許文献】
【０００９】
【特許文献１】特開２００６−４５７２８号公報
【発明の概要】
【発明が解決しようとする課題】
【００１０】
ところで、特許文献１のかつら用ストッパは、チタン製であるため、金属探知機に引っ掛かる心配は解消されたが、ストッパを開閉するために、ある程度強い力が必要とされ、着用者が女性等の場合、かつらの装着に手間取ってしまうという技術的課題がある。
【００１１】
また、チタンも金属素材であるため、少量での取引が困難であることから、一度に大量生産する必要があり、製造企業としては、在庫を大量に抱えてしまう技術的課題がある。
一方、非金属素材（例えば、プラスチック等）を用いて、上記特許文献１の構成と同様の形状でストッパを作製しても、鋼鉄製の金属素材を用いたストッパのようにバネ性を得られず、更には、曲がってしまうか折れてしまうという技術的課題があった。
【００１２】
本発明の目的は、非金属素材を用いても従来の金属素材を用いたかつら用ストッパのように毛髪を挟み込ませることが可能なかつら用ストッパを提供することにある。
【課題を解決するための手段】
【００１３】
本発明のかつら用ストッパは、プラスチック素材からなるかつら用ストッパであって、基材と、この基材の端部近傍に挿通して配置され、上記基材との間で毛髪を挟持する挟持部材と、上記基材の少なくとも上記端部近傍に配置され、上記挟持部材の上記基材から突出する突出部を押さえる押さえ部材と、を有し、上記挟持部材は、上記基材によって、上記毛髪を挟持する位置と、そこから退避した位置とに移動自在に支持され、上記挟持部材は、少なくとも上記毛髪を挟持する位置において、上記押さえ部材により位置決めされる。
【発明の効果】
【００１４】
本発明によれば、非金属製素材を用いても従来の金属素材を用いたかつら用ストッパのように毛髪を挟み込ませることが可能なかつら用ストッパを提供することができる。
【図面の簡単な説明】
【００１５】
【図１Ａ】本発明の一実施の形態であるかつら用ストッパの構成を上方から模式的に示した斜視図である。
【図１Ｂ】本発明の一実施の形態であるかつら用ストッパの構成を下方から模式的に示した斜視図である。
【図２Ａ】本発明の一実施の形態であるかつら用ストッパを構成する各部材を模式的に示した平面図である。
【図２Ｂ】本発明の一実施の形態であるかつら用ストッパを組立てる組立て構成の一工程を模式的に示した斜視図である。
【図３Ａ】本発明の一実施の形態であるかつら用ストッパの構成の第一の状態を模式的に示した斜視図である。
【図３Ｂ】本発明の一実施の形態であるかつら用ストッパの構成の第二の状態を模式的に示した斜視図である。
【図３Ｃ】本発明の一実施の形態であるかつら用ストッパの構成の第三の状態を模式的に示した斜視図である。
【図４Ａ】本発明の一実施の形態であるかつら用ストッパの押さえ部材及び基材の連結手段の第一変形例の構成を模式的に示した斜視図である。
【図４Ｂ】本発明の一実施の形態であるかつら用ストッパの押さえ部材及び基材の連結手段の第二変形例の構成を模式的に示した斜視図である。
【図４Ｃ】本発明の一実施の形態であるかつら用ストッパの押さえ部材及び基材の連結手段の第三変形例の構成を模式的に示した斜視図である。
【図５Ａ】本発明の一実施の形態であるかつら用ストッパの挟持部材の第一変形例の構成を模式的に示した底面図である。
【図５Ｂ】本発明の一実施の形態であるかつら用ストッパの挟持部材の第二変形例の構成を模式的に示した底面図である。
【図５Ｃ】本発明の一実施の形態であるかつら用ストッパの挟持部材の第三変形例の構成を模式的に示した底面図である。
【図６】本発明の他の実施の形態であるかつら用ストッパの構成を模式的に示した斜視図である。
【図７】本発明の他の実施の形態であるかつら用ストッパの構成を模式的に示した斜視図である。
【図８Ａ】本発明の他の実施の形態であるかつら用ストッパの構成の第一の状態を模式的に示した斜視図である。
【図８Ｂ】本発明の他の実施の形態であるかつら用ストッパの構成の第二の状態を模式的に示した斜視図である。
【図９】本発明の他の実施の形態であるかつら用ストッパの基材の第一変形例の構成を模式的に示した斜視図である。
【図１０】本発明の他の実施の形態であるかつら用ストッパの基材の第二変形例の構成を模式的に示した斜視図である。
【図１１】本発明の他の実施の形態であるかつら用ストッパの挟持部材の第一変形例の構成を模式的に示した底面図である。
【発明を実施するための形態】
【００１６】
以下、図面を参照しながら、本発明の実施の形態について詳細に説明する。
【００１７】
（実施の形態１）
図１Ａは、本発明の一実施の形態であるかつら用ストッパ１の構成を上方から模式的に示した斜視図であり、図１Ｂは、本発明の一実施の形態であるかつら用ストッパ１の構成を下方から模式的に示した斜視図である。なお、図１Ａ及び図１Ｂは、基材２０からピン３１ａ、ピン３１ｂ及びピン３１ｃを離した状態を示したものである。
【００１８】
本実施の形態のかつら用ストッパ１は、プラスチック素材からなり、基材２０と、基材２０の端部近傍を挿通して配置され、基材２０との間で毛髪を挟持する２つの挟持部材３０と、基材２０の上部に配置され、挟持部材３０の基材２０から突出する突出部（本実施の形態ではピン支持部３２の一部）を押さえる押さえ部材１０とを備えて構成されている。
【００１９】
そして、詳しくは後述するが、挟持部材３０は、毛髪を挟持する位置と、そこから退避した位置とに移動自在（回転自在）に基材２０に支持されている。なお、押さえ部材１０は、基材２０の少なくとも端部近傍に配置されていればよい。
【００２０】
本実施の形態において、これら押さえ部材１０、基材２０及び挟持部材３０の材質は、プラスチック素材からなり、プラスチック素材であれば特に限定されないが、カーボン樹脂、ポリプロピレン、ポリエチレン、ポリエチレンテレフタレート、ポリトリメチレンテレフタレート、ポリブチレンテレフタレート、ポリアミド６、ポリアミド１２、ＡＢＳ、ポリアセタール、ポリフェニレンサルファイド、ポリエーテルエーテルケトン、ポリアミドイミド等を使用することができる。
【００２１】
かつら用ストッパ１は、プラスチック素材からなり、押さえ部材１０が挟持部材３０の基材２０から突出する突出部を押さえ、挟持部材３０が押さえ部材１０により少なくとも毛髪を挟持する位置において位置決めされることで、従来の金属素材を用いたものと同様に、毛髪を挟み込むことができる。
【００２２】
次に、本発明の一実施の形態であるかつら用ストッパ１の構成の各部材について図２Ａを用いて説明する。図２Ａは、本発明の一実施の形態であるかつら用ストッパ１を構成する各部材を模式的に示した平面図である。
【００２３】
本実施の形態において、図２Ａ（ｃ）に例示されるように、挟持部材３０は、着用者の頭部に差し込んで自毛を咥え込む互いにほぼ平行に配置されたピン３１ａ、ピン３１ｂ及びピン３１ｃと、これら、ピン３１ａ、ピン３１ｂ及びピン３１ｃを一体に支持するピン支持部３２とで構成されている。なお、ピン３１ａ、ピン３１ｂ及びピン３１ｃは、３本により構成されているが、この本数は、特に限定されず、着用者の自毛の毛量に合わせて、本数を増減させても良い。
【００２４】
また、ピン３１ａ、ピン３１ｂ及びピン３１ｃは、棒状をなして形成されている。そして、ピン３１ａ、ピン３１ｂ及びピン３１ｃの先端は、着用者の頭部に差し込んだ際、頭皮を傷つけない又は頭部に差し込みやすい等の役目を果たすように球状をなして形成されている。なお、ピン３１ａ、ピン３１ｂ及びピン３１ｃの先端の形状は、上述したような役目を果たす形状であることが好ましいが、特に球状に限定されず、例えば、先端を僅かに折り曲げて形成しても良い。
【００２５】
また、ピン３１ａ、ピン３１ｂ及びピン３１ｃの表面には、滑り止め加工が施されている。滑り止め加工は、第２基板２０と挟持部材３０のピン３１ａ、ピン３１ｂ及びピン３１ｃとで毛髪を挟み込む際、毛髪のズレ防止を果たす役目をなし、滑り止め樹脂を塗布して形成されている。
【００２６】
なお、滑り止め樹脂は、上述した役目を果たすものであれば、特に限定されないが、ウレタン樹脂、シリコン樹脂、ブタジエンゴム、スチレンエラストマー等を用いることが可能である。
【００２７】
そして、挟持部材３０は、ピン支持部３２が基材２０の後述する歯２４ａ、歯２４ｂ、歯２４ｃ及び歯２４ｄに当接する位置まで、後述する基材２０の溝２２ａ、溝２２ｂ及び溝２２ｃにピン３１ａ、ピン３１ｂ及びピン３１ｃを挿通して、基材２０に係止されている。
【００２８】
基材２０は、図２Ａ（ｂ）に例示されるように、平板状をなして形成されている。基材２０は、厚みが０．５ｍｍ〜５ｍｍ程度で形成され、平面視した長手方向が３０ｍｍ〜１００ｍｍ程度で形成され、短手方向が１０ｍｍ〜５０ｍｍ程度で形成されている。
【００２９】
また、基材２０の両端は、櫛歯形状をなして形成されている。この櫛歯形状は、基材２０の両端に、歯２４ａ、溝２２ａ、歯２４ｂ、溝２２ｂ、歯２４ｃ、溝２２ｃ、歯２４ｄが交互に連続して形成されている。
【００３０】
この溝２２ａ、溝２２ｂ及び溝２２ｃには、挟持部材３０のピン３１ａ、ピン３１ｂ及びピン３１ｃが挿通されている。また、歯２４ａ、歯２４ｂ、歯２４ｃ及び歯２４ｄには、挟持部材３０のピン支持部３２が載置されている。
【００３１】
また、歯２４ａ、歯２４ｂ、歯２４ｃ及び歯２４ｄには、夫々、連結ピン孔２３が設けられている。すなわち、この連結ピン孔２３とピン支持部３２の連結ピン孔とに連結ピン４０を挿通させて基材２０に挟持部材３０が係止されている。これにより、連結ピン４０を軸にして基材２０に対して挟持部材３０のピン３１ａ、ピン３１ｂ及びピン３１ｃが移動自在（回転自在）に基材２０に支持されている。
【００３２】
そして、基材２０のピン３１ａ、ピン３１ｂ及びピン３１ｃと接する面には、滑り止め部２５が形成されている。滑り止め部２５は、基材２０と挟持部材３０のピン３１ａ、ピン３１ｂ及びピン３１ｃとで着用者の毛髪を挟み込む際、毛髪のズレ防止を果たす役目をなし、滑り止め樹脂を塗布して形成されている。滑り止め樹脂は、特に限定されないが、ウレタン樹脂、シリコン樹脂、ブタジエンゴム、スチレンエラストマー等を用いて形成されている。
【００３３】
一方、基材２０の上面には、基材２０から突出したピン支持部３２を押える押さえ部材１０が配置されている。そして、基材２０の中央近傍には、連結ネジ４１を挿通させる連結孔２１が形成されており、連結孔２１には、後述する押さえ部材１０の連結孔１１と共に、連結ネジ４１が挿通されている。すなわち、押さえ部材１０と基材２０とは、中央近傍で連結されている。
【００３４】
図２Ａ（ａ）に例示されるように、押さえ部材１０は、平板状をなして形成されている。そして、押さえ部材１０は、基材２０と略同一幅かつ略同一奥行きの平面視矩形板状に形成されている。なお、押さえ部材１０の厚みは、特に限定されないが、押さえ部材１０の厚みが厚い場合の方が、薄い場合よりも復元力を有し、より強い力でピン支持部３２を押えることが可能になる。
【００３５】
押さえ部材１０は、上述したように基材２０の上部に配置されている。また、押さえ部材１０の中央近傍には、連結ネジ４１を挿通させる連結孔１１が形成されている。
押さえ部材１０の連結孔１１には、基材２０の連結孔２１と共に、連結ネジ４１が挿通されており、押さえ部材１０及び基材２０が中央近傍で連結されている。すなわち、押さえ部材１０は、中央近傍が基材２０と連結され、基材２０の上面を覆うように配置されている。
【００３６】
また、ピン３１ａ、ピン３１ｂ及びピン３１ｃを人力等により基材２０から離した後に、人力等を解放すると、押さえ部材１０が有する復元力によりピン支持部３２を押さえ、ピン３１ａ、ピン３１ｂ及びピン３１ｃは、基材２０に当接する位置に戻る。
【００３７】
このように、本実施の形態のかつら用ストッパ１は、２つの挟持部材３０のピン支持部３２が押さえ部材１０の両端を持ち上げた状態において、押さえ部材１０が有する復元力によりピン支持部３２を押えることで、ピン３１ａ、ピン３１ｂ及びピン３１ｃと基材２０とは当接している。
【００３８】
すなわち、かつら用ストッパ１は、プラスチック素材を用いて、従来の金属製の本体部を凸状又は凹状に反り返らせるものと同様に、ピン３１ａ、ピン３１ｂ及びピン３１ｃと基材２０との間に、毛髪を挟み込むことができる。
【００３９】
次に、本発明の一実施の形態であるかつら用ストッパ１を組立てる工程について図２Ｂを用いて説明する。図２Ｂは、本発明の一実施の形態であるかつら用ストッパ１を組立てる組立て構成の一工程を模式的に示した斜視図である。
【００４０】
図２Ｂに例示されるように、基材２０の溝２２ａ、溝２２ｂ及び溝２２ｃに、挟持部材３０のピン３１ａ、ピン３１ｂ及びピン３１ｃを例えば上方から挿通させる。また、ピン支持部３２が歯２４ａ、歯２４ｂ、歯２４ｃ及び歯２４ｄに当接する位置までピン３１ａ、ピン３１ｂ及びピン３１ｃを溝２２ａ、溝２２ｂ及び溝２２ｃに挿入し、ピン支持部３２を歯２４ａ、歯２４ｂ、歯２４ｃ及び歯２４ｄに載置する。
【００４１】
そして、基材２０の歯２４ａ、歯２４ｂ、歯２４ｃ及び歯２４ｄに設けられた連結ピン孔２３と、挟持部材３０のピン支持部３２に設けられた連結ピン孔とに連結ピン４０を挿通させる。すなわち、挟持部材３０は、連結ピン４０を軸にして移動自在に基材２０に支持されている。
【００４２】
挟持部材３０を連結した基材２０の上面に、押さえ部材１０を配置する。そして、押さえ部材１０の連結孔１１と基材２０の連結孔２１とを合わせて、これら連結孔１１及び連結孔２１に連結ネジ４１を挿入して、押さえ部材１０及び基材２０を互いに連結固定する。
【００４３】
次に、本実施の形態のかつら用ストッパ１の動作について、図３Ａ乃至図３Ｃを用いて説明する。
図３Ａは、本発明の実施の形態であるかつら用ストッパ１の構成の第一の状態を模式的に示した斜視図であり、図３Ｂは、本発明の実施の形態であるかつら用ストッパ１の構成の第二の状態を模式的に示した斜視図であり、図３Ｃは、本発明の実施の形態であるかつら用ストッパ１の構成の第三の状態を模式的に示した斜視図である。
【００４４】
まず、図３Ａに例示されるように、第一の状態では、押さえ部材１０が基材２０の上面から突出したピン支持部３２の当接面３３に当接し持ち上げられている。すなわち、押さえ部材１０が当接面３３に当接してピン支持部３２を押さえている。これにより、基材２０に対して挟持部材３０のピン３１ａ、ピン３１ｂ及びピン３１ｃがほぼ平行に配置されている。
【００４５】
次に、図３Ｂに例示されるように、第二の状態では、ピン３１ａ、ピン３１ｂ及びピン３１ｃを基材２０から人力等により離そうとすると、ピン支持部３２の当接角部３５が上方に移動する。この時、押さえ部材１０の下面は、当接角部３５に当接している。すなわち、当接角部３５が押さえ部材１０の下面を上方に押し出すことで、押さえ部材１０の端部が上方に撓む。
【００４６】
また、ピン支持部３２の当接角部３５には、押さえ部材１０の元の位置に戻ろうとする復元力が作用している。すなわち、人力等を解放すると、ピン３１ａ、ピン３１ｂ及びピン３１ｃが元の位置、即ち基材２０に対してほぼ平行な位置に戻る。
【００４７】
また、図３Ｃに例示されるように、ピン３１ａ、ピン３１ｂ及びピン３１ｃを基材２０から人力等により、更に離そうとすると、押さえ部材１０は、ピン支持部３２の当接面３４に当接してピン支持部３２を押さえた状態になる。
【００４８】
この時、ピン支持部３２には、押さえ部材１０の復元力が作用しているが、ピン支持部３２の当接面３４が押さえ部材１０の下面に当接しており、この当接面３４がピン３１ａ、ピン３１ｂ及びピン３１ｃの角度を一定に保つ。すなわち、人力等を解放しても、ピン３１ａ、ピン３１ｂ及びピン３１ｃは、元の位置に戻らない。
【００４９】
そして、ピン３１ａ、ピン３１ｂ及びピン３１ｃを着用者の頭部に差し込んで毛髪を咥え込む。なお、ピン３１ａ、ピン３１ｂ及びピン３１ｃを着用者の頭部に差し込む際、ピン３１ａ、ピン３１ｂ及びピン３１ｃの角度を固定せずに、単に、ピン３１ａ、ピン３１ｂ及びピン３１ｃの先端を、基材２０から離した状態で着用者の頭部に差し込んでも良い。
【００５０】
このように、押さえ部材１０が基材２０の上面から突出したピン支持部３２を押さえているため、基材２０に対して挟持部材３０のピン３１ａ、ピン３１ｂ及びピン３１ｃがほぼ平行に配置されている。したがって、基材２０とピン３１ａ、ピン３１ｂ及びピン３１ｃとにより、毛髪を挟み込むことができる。
【００５１】
よって、本実施の形態のかつら用ストッパ１は、プラスチック素材を用いて、従来の金属を用いたものと同様に、毛髪を挟み込むことができる。このように、本実施の形態のかつら用ストッパ１は、プラスチック素材を用いて作製されているので、少量での取引が困難な金属材料とは異なり、製造業者が在庫を大量に抱えるというリスクを軽減することができる。
【００５２】
また、本実施の形態のかつら用ストッパ１は、基材２０に対してピン３１ａ、ピン３１ｂ及びピン３１ｃを離して使用するものであり、従来のように、基材２０又はピン３１ａ、ピン３１ｂ及びピン３１ｃを反転させるものではないので、着用する際に、あまり強い力を必要とせずに着用することができる。
【００５３】
次に、本発明の実施の形態１の押さえ部材１０及び基材２０の連結手段について説明する。
図４Ａは、本発明の実施の形態１の押さえ部材１０及び基材２０の連結手段の第一変形例の構成を模式的に示した斜視図であり、図４Ｂは、本発明の実施の形態１の押さえ部材１０及び基材２０の連結手段の第二変形例の構成を模式的に示した斜視図であり、図４Ｃは、本発明の実施の形態１の押さえ部材１０及び基材２０の連結手段の第三変形例の構成を模式的に示した斜視図である。
【００５４】
図４Ａに例示されるように、押さえ部材１０及び基材２０の平面視中央近傍には、夫々、連結孔１１及び図４Ａでは表れない連結孔２１が形成されている。これら連結孔１１及び連結孔２１には、連結ネジ４１が挿通されている。すなわち、連結ネジ４１は、押さえ部材１０及び基材２０の中央近傍を連結する役目を果たしている。
【００５５】
連結ネジ４１は、押さえ部材１０、基材２０及び挟持部材３０と同様に、プラスチック素材で形成されている。
また、連結手段の他の変形例では、図４Ｂに例示されるように、押さえ部材１０及び基材２０の端部近傍には、夫々、複数の連結孔１１、連結孔２１が形成されている。これら連結孔１１及び連結孔２１には、連結ネジ４１が挿通されている。
【００５６】
すなわち、連結ネジ４１は、連結孔１１及び連結孔２１に挿通することで、第１基板１０及び第２基板２０の端部近傍を連結する役目を果たしている。このように、端部近傍を連結することで、押さえ部材１０及び基材２０の中央近傍を連結するよりも、ピン支持部３２に作用する押さえ部材１０の復元力がより強くなる。これにより、基材２０とピン３１ａ、ピン３１ｂ及びピン３１ｃとの間に、より強い力で毛髪を挟み込むことができる。なお、図４Ｂに示す例では、連結孔１１及び連結孔２１を押さえ部材１０及び基材２０の端部のうち一端側の端部近傍に形成するものであるが、例えば、押さえ部材１０及び基材２０の長手方向の両端近傍に連結孔１１及び連結孔２１を形成してもよい。
【００５７】
また、他の変形例として、図４Ｃに例示されるように、押さえ部材１０及び基材２０の間に溶着部４２を設けてもよい。溶着部４２は、熱溶着により形成されている。
このように、熱溶着により押さえ部材１０と基材２０とが連結されることで、例えば、押さえ部材１０及び基材２０に連結孔を形成する工程を一度に行うことができる。また、押さえ部材１０及び基材２０に連結孔を形成する場合、ある程度位置決めを行う必要があるが、このような位置決めを行わず、押さえ部材１０及び基材２０を重ね合わせて連結することができる。
【００５８】
また、この変形例において、溶着部４２は、押さえ部材１０及び基材２０の中央近傍に設けられているが、押さえ部材１０及び基材２０の両端部以外であれば、例えば、端部付近に設けても良い。このように、端部付近に設けることで、押さえ部材１０の復元力がより強くなる。これにより、基材２０及びピン３１ａ、ピン３１ｂ及びピン３１ｃの間に、より強い力で挟み込むことができる。
【００５９】
次に、本発明の実施の形態１の挟持部材３０の構成について説明する。
図５Ａは、本発明の実施の形態１の挟持部材３０の第一変形例の構成を模式的に示した底面図であり、図５Ｂは、本発明の実施の形態１の挟持部材３０の第二変形例の構成を模式的に示した底面図であり、図５Ｃは、本発明の実施の形態１の挟持部材３０の第三変形例の構成を模式的に示した底面図である。
【００６０】
図５Ａに例示されるように、２つの挟持部材３０は、着用者の毛髪を咥え込む複数のピン３１ａ、ピン３１ｂ及びピン３１ｃと、これら複数のピン３１ａ、ピン３１ｂ及びピン３１ｃを一体に支持するピン支持部３２とで構成されている。
【００６１】
また、挟持部材３０の他の変形例では、図５Ｂに例示されるように、２つの挟持部材７０は、着用者の毛髪を咥え込む複数のピン７１ａ、ピン７１ｂ及びピン７１ｃと、これら複数のピン７１ａ、ピン７１ｂ及びピン７１ｃを一体に支持するピン支持部７２とで構成されている。
【００６２】
この変形例において、ピン７１ａ、ピン７１ｂ及びピン７１ｃの軸方向の寸法は、基材２０の長手方向の寸法とほぼ同じ長さで形成されている。また、一方のピン支持部７２に支持されたピン７１ａ、ピン７１ｂ及びピン７１ｃと、他方のピン支持部７２に支持されたピン７１ａ、ピン７１ｂ及びピン７１ｃとは、互いに交互に並設されて配置されている。
【００６３】
このように、ピン７１ａ、ピン７１ｂ及びピン７１ｃを互いに交互に並設して配置することで、より多くの毛髪を咥え込むことができる。よって、この変形例によれば、頭部にかつらをより強固に固定することができる。
【００６４】
図５Ｃに例示されるように、２つの挟持部材８０は、着用者の毛髪を咥え込むピン８１ａ及びピン８１ｂと、このピン８１ａ及びピン８１ｂを一体に支持するピン支持部８２とで構成されている。
【００６５】
この変形例において、ピン８１ａ及びピン８１ｂは、ピン支持部８２の端部に一体に支持され、同一のピン支持部８２により支持されたピン８１ａ及びピン８１ｂの先端が互いにほぼ当接した位置に配置され形成されている。すなわち、上述した変形例と異なる点は、ピン８１ａ及びピン８１ｂがピン支持部８２に対して斜めに配置された点である。
【００６６】
このように、ピン８１ａ及びピン８１ｂをピン支持部８２に対して斜めに配置することで、ピン８１ａ及びピン８１ｂを毛髪に差し込んだ際、抜けにくくすることができる。
【００６７】
（実施の形態２）
図６は、本発明の他の実施の形態であるかつら用ストッパ２の構成を模式的に示した斜視図である。本実施の形態のかつら用ストッパ２の場合、挟持部材５０のピン支持部５２に傾斜面５５を設けた点が上述の実施の形態１のかつら用ストッパ１と異なっており、他は同様である。したがって、押さえ部材１０及び基材２０は、同一の符号を付して説明を省略する。
【００６８】
本実施の形態のかつら用ストッパ２は、挟持部材５０のピン支持部５２に傾斜面５５を設けて構成されている。傾斜面５５は、ピン支持部５２の当接面５３と当接面５４との間に連続して形成されている。
【００６９】
次に、本実施の形態のかつら用ストッパ２の動作について、説明する。
まず、実施の形態１と同様に、押さえ部材１０が基材２０の上面から突出したピン支持部５２の当接面５３に当接している。すなわち、押さえ部材１０が当接面５３に当接して当接面５３を押さえている。これにより、基材２０に対して挟持部材５０のピン５１ａ、ピン５１ｂ及びピン５１ｃがほぼ平行に配置されている。
【００７０】
本実施の形態において、図６に例示されるように、ピン５１ａ、ピン５１ｂ及びピン５１ｃを基材２０から人力等により離そうとすると、ピン支持部５２の押さえ部材１０に当接する面が当接面５３から傾斜面５５に移行する。すなわち、押さえ部材１０は、ピン支持部５２の傾斜面５５と当接してピン支持部５２を押さえている。
【００７１】
この時、ピン支持部５２には、押さえ部材１０の元の位置に戻ろうとする復元力が作用しているが、ピン支持部５２の傾斜面５５が押さえ部材１０に当接しており、この傾斜面５５がピン５１ａ、ピン５１ｂ及びピン５１ｃの角度を一定に保っている。すなわち、人力等を解放しても、ピン５１ａ、ピン５１ｂ及びピン５１ｃは、元の位置に戻らない。
【００７２】
そして、ピン５１ａ、ピン５１ｂ及びピン５１ｃの角度を固定した状態で、ピン５１ａ、ピン５１ｂ及びピン５１ｃを着用者の頭部に差し込んで毛髪を咥え込む。このように、ピン支持部５２に傾斜面５５を設けることで、基材２０に対するピン５１ａ、ピン５１ｂ及びピン５１ｃの角度を固定しておくことができる。
【００７３】
ピン５１ａ、ピン５１ｂ及びピン５１ｃを着用者の頭部に差し込んだ後に、ピン５１ａ、ピン５１ｂ及びピン５１ｃを元の位置に戻す。これにより、押さえ部材１０がピン支持部５２の当接面５３に当接して、ピン支持部５２を押さえることで、ピン５１ａ、ピン５１ｂ及びピン５１ｃと基材２０とに毛髪を挟み込むことができる。
【００７４】
よって、本実施の形態のかつら用ストッパ２は、プラスチック素材を用いて、従来の金属を用いたものと同様に、毛髪を挟み込むことができる。このように、本実施の形態のかつら用ストッパ２は、プラスチック素材を用いて作製されているので、少量での取引が困難な金属材料とは異なり、製造業者が在庫を大量に抱えるというリスクを軽減することができる。
【００７５】
また、本実施の形態のかつら用ストッパ２は、基材２０からピン５１ａ、ピン５１ｂ及びピン５１ｃを離して使用するものであり、反転させるものではないので、着用する際に、あまり強い力を必要とせずに開閉することができる。
【００７６】
（実施の形態３）
図７は、本発明の他の実施の形態であるかつら用ストッパ３の構成を模式的に示した斜視図である。実施の形態３のかつら用ストッパ３の場合、挟持部材６０のピン支持部６２に曲面６３を設けた点が上述の実施の形態１のかつら用ストッパ１と異なっており、他は同様である。したがって、押さえ部材１０及び基材２０には、同一の符号を付して説明を省略する。
【００７７】
本実施の形態のかつら用ストッパ３は、上述したように、挟持部材６０のピン支持部６２に曲面６３を設けて構成されている。曲面６３は、押さえ部材１０に当接する位置に設けられている。このように、ピン支持部６２に曲面６３を設けることで、挟持部材６０の開閉をより容易に行うことができる。
【００７８】
次に、実施の形態３のかつら用ストッパ３の動作について、説明する。
本実施の形態では、押さえ部材１０が基材２０の上面から突出したピン支持部６２の曲面６３に当接している。すなわち、押さえ部材１０が曲面６３に当接して曲面６３を押さえている。これにより、基材２０と挟持部材６０のピン６１ａ、ピン６１ｂ及びピン６１ｃとがほぼ平行に配置されている。
【００７９】
図７に例示されるように、ピン６１ａ、ピン６１ｂ及びピン６１ｃを基材２０から人力等により離そうとすると、押さえ部材１０が上方に撓む。この時、ピン支持部６２には、押さえ部材１０の元の位置に戻ろうとする復元力が作用している。すなわち、人力等を解放すれば、ピン６１ａ、ピン６１ｂ及びピン６１ｃは、元の位置に戻る。
【００８０】
そして、ピン６１ａ、ピン６１ｂ及びピン６１ｃを基材２０から人力等により離した状態で、ピン６１ａ、ピン６１ｂ及びピン６１ｃを着用者の頭部に差し込んで毛髪を咥え込む。このように、ピン支持部６２に曲面６３を設けることで、ピン６１ａ、ピン６１ｂ及びピン６１ｃを基材２０から離す際、より容易に離すことができる。
【００８１】
また、ピン６１ａ、ピン６１ｂ及びピン６１ｃを着用者の頭部に差し込んだ後に、人力等を解放するだけで、ピン６１ａ、ピン６１ｂ及びピン６１ｃが元の位置に戻る。これにより、押さえ部材１０がピン支持部６２を押さえることで、ピン６１ａ、ピン６１ｂ及びピン６１ｃと基材２０とに毛髪を挟み込むことができる。したがって、単に、人力等を解放するだけで、押さえ部材１０の復元力により、ピン６１ａ、ピン６１ｂ及びピン６１ｃが元の位置に戻るため、僅かな人力で容易に毛髪を挟み込むことができる。
【００８２】
よって、本実施の形態のかつら用ストッパ３は、プラスチック素材を用いて、従来の金属を用いたものと同様に、毛髪を挟み込むことができる。これにより、本実施の形態のかつら用ストッパ３によっても、製造業者が在庫を大量に抱えるというリスクを軽減することができる。
【００８３】
また、本実施の形態のかつら用ストッパ３においても、単に、基材２０とピン６１ａ、ピン６１ｂ及びピン６１ｃとを離して使用するものであり、従来のように、ピン６１ａ、ピン６１ｂ及びピン６１ｃを反転させるものではないので、着用する際に、あまり強い人力を必要とせずに着用することができる。
【００８４】
（実施の形態４）
図８Ａは、本発明の実施の形態４のかつら用ストッパ４の構成の第一の状態を模式的に示した斜視図であり、図８Ｂは、本発明の実施の形態４のかつら用ストッパ４の構成の第二の状態を模式的に示した斜視図である。
【００８５】
本実施の形態のかつら用ストッパ４は、平板状部（基材）９１と押さえ部９２（押さえ部材）とが一枚の基板９０により構成されている点が上述の実施の形態３のかつら用ストッパ３と異なっており、他は同様である。したがって、同様の部分には、同一の符号を付して説明を省略する。
【００８６】
かつら用ストッパ４は、上述したように、一枚の基板９０により構成されている。基板９０は、プラスチック素材からなり、平板状部９１と、この平板状部９１に一体に連続して形成される折り返し部９３と、折り返し部９３に一体に連続して形成され、ピン支持部６２を押さえる押さえ部９２とを備えて構成されている。
【００８７】
平板状部９１は、この平板状部９１と挟持部材６０との間に毛髪を挟み込み毛髪を挟持する役目を果たし、平板状部９１の端部には、挟持部材６０のピン支持部６２を係止する係止部が形成されている。
【００８８】
係止部は、櫛歯形状で形成されている。すなわち、係止部は、溝と歯とが交互に連続して形成されている。そして、溝には本体部６０のピン６１ａ、ピン６１ｂ及びピン６１ｃが挿通されている。一方、ピン支持部６２は、ピン支持部６２の連結ピン孔と歯に設けられた連結ピン孔とを係合させ、これら連結ピン孔に連結ピン４０を挿通して係止部に係止されている。
【００８９】
本実施の形態において、ピン支持部６２が押さえ部９２の下方に配置されている。すなわち、押さえ部９２は、平板状部９１に係止されたピン支持部６２を上方から押さえ付ける役目を果たしている。
【００９０】
次に、実施の形態４のかつら用ストッパ４の動作について、説明する。
図８Ａに例示されるように、押さえ部９２が平板状部９１の上面から突出したピン支持部６２の曲面６３に当接している。すなわち、押さえ部材１０が曲面６３に当接して曲面６３を押さえている。これにより、平板状部９１と挟持部材６０のピン６１ａ、ピン６１ｂ及びピン６１ｃとがほぼ平行に配置されている。
【００９１】
図８Ｂに例示されるように、ピン６１ａ、ピン６１ｂ及びピン６１ｃを平板状部９１から人力等により離そうとすると、押さえ部９２が上方に撓む。この時、ピン支持部６２には、押さえ部９２の元の位置に戻ろうとする復元力が作用している。すなわち、人力等を解放すれば、ピン６１ａ、ピン６１ｂ及びピン６１ｃは、元の位置に戻る。
【００９２】
そして、ピン６１ａ、ピン６１ｂ及びピン６１ｃを平板状部９１から人力等により離した状態で、ピン６１ａ、ピン６１ｂ及びピン６１ｃを着用者の頭部に差し込んで毛髪を咥え込む。
【００９３】
また、ピン６１ａ、ピン６１ｂ及びピン６１ｃを着用者の頭部に差し込んだ後に、人力等を解放するだけで、ピン６１ａ、ピン６１ｂ及びピン６１ｃが元の位置に戻る。これにより、押さえ部９２がピン支持部６２を押さえることで、ピン６１ａ、ピン６１ｂ及びピン６１ｃと平板状部９１とに毛髪を挟み込むことができる。
【００９４】
したがって、単に、人力等を解放するだけで、押さえ部９２の復元力により、ピン６１ａ、ピン６１ｂ及びピン６１ｃが元の位置に戻るため、僅かな人力で容易に毛髪を挟み込むことができる。
【００９５】
よって、本実施の形態のかつら用ストッパ４によっても、プラスチック素材を用いて、従来の金属を用いたものと同様に、毛髪を挟み込むことができると共に、製造業者が在庫を大量に抱えるというリスクを軽減することができる。
【００９６】
また、本実施の形態のかつら用ストッパ４においても、単に、平板状部９１とピン６１ａ、ピン６１ｂ及びピン６１ｃとを離して使用するものであり、従来のように、ピン６１ａ、ピン６１ｂ及びピン６１ｃを反転させるものではないので、着用する際に、あまり強い人力を必要とせずに着用することができる。
【００９７】
次に、本発明の実施の形態４のかつら用ストッパ４の基材９０の構成について図９及び図１０を用いて説明する。図９は、本発明の実施の形態４のかつら用ストッパ４の基材９０の第一変形例の構成を模式的に示した斜視図であり、図１０は、本発明の実施の形態４のかつら用ストッパ４の基材９４の第二変形例の構成を模式的に示した斜視図である。また、図１１は、本発明の実施の形態４のかつら用ストッパ４の挟持部材９８の第一変形例の構成を模式的に示した底面図である。
【００９８】
図９に例示されるように、基材９０は、平板状部９１と、この平板状部９１に一体に連続して形成される折り返し部９３と、この折り返し部９３に一体に連続して形成され、平板状部９１から突出してピン支持部６２を押さえる押さえ部９２とを備えて構成されている。
【００９９】
また、基材９０の他の変形例として、図１０に例示されるように、基材９４は、平板状部９５と、この平板状部９５の長手辺を折り返してなる折り返し部９７と、平板状部９５に一体に連続して形成され、平板状部９５から突出するピン支持部６２を押さえる押さえ部９６とを備えて構成されている。
【０１００】
そして、図１１に例示されるように、基材９４には挟持部材９８が連結されている。挟持部材９８は、複数のピン９９ａ、ピン９９ｂ、ピン９９ｃ、ピン９９ｄ、ピン９９ｅ及びピン９９ｆと、これら複数のピン９９ａ、ピン９９ｂ、ピン９９ｃ、ピン９９ｄ、ピン９９ｅ及びピン９９ｆを並設して配置して、一体に支持するピン支持部１００とを備えて構成されている。すなわち、本変形例では、ピン９９ａ、ピン９９ｂ、ピン９９ｃ、ピン９９ｄ、ピン９９ｅ及びピン９９ｆは、片側のみに設けられている。
【０１０１】
本変形例では、上述したように、平板状部９５の長手辺を折り返して折り返し部９７を設けた点が異なる。このように、平板状部９５の長手辺に折り返し部９７を設け、片側のみにピン９９ａ、ピン９９ｂ、ピン９９ｃ、ピン９９ｄ、ピン９９ｅ及びピン９９ｆを設けたことで、毛髪に差し込みやすい。したがって、着用者がかつらを着用する際、着用しやすい。
【符号の説明】
【０１０２】
１      かつら用ストッパ
２      かつら用ストッパ
３      かつら用ストッパ
４      かつら用ストッパ
１０      押さえ部材
１１      連結孔
２０      基材
２１      連結孔
２２ａ    溝
２２ｂ    溝
２２ｃ    溝
２３      連結ピン孔
２４ａ    歯
２４ｂ    歯
２４ｃ    歯
２４ｄ    歯
２５      滑り止め部
３０      挟持部材
３１ａ    ピン
３１ｂ    ピン
３１ｃ    ピン
３２      ピン支持部
３３      当接面
３４      当接面
３５      当接角部
４０      連結ピン
４１      連結ネジ
４２      溶着部
５０      挟持部材
５１ａ    ピン
５１ｂ    ピン
５１ｃ    ピン
５２      ピン支持部
５３      当接面
５４      当接面
５５      傾斜面
６０      挟持部材
６１ａ    ピン
６１ｂ    ピン
６１ｃ    ピン
６２      ピン支持部
６３      曲面
７０      挟持部材
７１ａ    ピン
７１ｂ    ピン
７１ｃ    ピン
７２      ピン支持部
８０      挟持部材
８１ａ    ピン
８１ｂ    ピン
８２      ピン支持部
９０      基材
９１      平板状部
９２      押さえ部
９３      折り返し部
９４      基材
９５      平板状部
９６      押さえ部
９７      折り返し部
９８      挟持部材
９９ａ    ピン
９９ｂ    ピン
９９ｃ    ピン
９９ｄ    ピン
９９ｅ    ピン
９９ｆ    ピン
１００      ピン支持部
【図１Ａ】
0005415860.tif 000002
【図１Ｂ】
0005415860.tif 000003
【図２Ａ】
0005415860.tif 000004
【図２Ｂ】
0005415860.tif 000005
【図３Ａ】
0005415860.tif 000006
【図３Ｂ】
0005415860.tif 000007
【図３Ｃ】
0005415860.tif 000008
【図４Ａ】
0005415860.tif 000009
【図４Ｂ】
0005415860.tif 000010
【図４Ｃ】
0005415860.tif 000011
【図５Ａ】
0005415860.tif 000012
【図５Ｂ】
0005415860.tif 000013
【図５Ｃ】
0005415860.tif 000014
【図６】
0005415860.tif 000015
【図７】
0005415860.tif 000016
【図８Ａ】
0005415860.tif 000017
【図８Ｂ】
0005415860.tif 000018
【図９】
0005415860.tif 000019
【図１０】
0005415860.tif 000020
【図１１】
0005415860.tif 000021